(57)【要約】【課題】未記録であると判別された光ディスクに適するフォーカスバランスの調整を行うときにも、未記録な試し書き領域の消費を抑制する。【解決手段】試し書き領域を形成する単位領域のうち、使用順位が最上位の最上位領域の状態が、未記録状態または予め定められた情報である識別情報が試し書きされている識別情報記録状態または識別情報とは異なるデータが試し書きされている異種情報記録状態のどの状態なのかを判別する最上位領域判別手段２４を備え、最上位領域判別手段２４の判別結果が識別情報記録状態を示すときには、未記録時試書手段２２は試し書きを行わず、調整手段２３は識別情報記録状態にある最上位領域を再生することによってフォーカスバランスの調整を行う。【選択図】  図１
2007018642.tif 000002
【特許請求の範囲】
【請求項１】
光ピックアップを所定の読み取り位置に移動させた状態で光ディスクの読み取りを行ったときにＲＦ信号が得られるかどうかに基づいて、光ディスクが未記録であるかどうかを判別する記録有無判別手段と、
記録有無判別手段の判別結果が未記録を示すときには、光ディスクの試し書き領域に光ピックアップを用いて試し書きを行う未記録時試書手段と、
未記録時試書手段によって試し書きされた領域の再生を行うことによってフォーカスバランスの調整を行う調整手段とを備えた光ディスク装置において、
記録有無判別手段の判別結果が未記録を示すときには、試し書き領域を形成する複数の単位領域のうち、使用順位が最上位となる単位領域である最上位領域の状態が、未記録状態または予め定められた情報である識別情報が試し書きされている識別情報記録状態または識別情報とは異なるデータが試し書きされている異種情報記録状態のどの状態であるのかを判別する最上位領域判別手段を備え、
最上位領域判別手段の判別結果が未記録状態を示すときには、未記録時試書手段は識別情報を最上位領域に試し書きし、調整手段は未記録時試書手段によって識別情報が試し書きされた最上位領域の再生を行うことによってフォーカスバランスの調整を行い、
最上位領域判別手段の判別結果が識別情報記録状態を示すときには、未記録時試書手段は試し書きを行わず、調整手段は識別情報記録状態にある最上位領域を再生することによってフォーカスバランスの調整を行い、
最上位領域判別手段の判別結果が異種情報記録状態を示すときには、未記録時試書手段は試し書き領域であって未記録となっている領域に試し書きを行い、調整手段は未記録時試書手段によって試し書きされた領域の再生を行うことによってフォーカスバランスの調整を行うことを特徴とする光ディスク装置。
【請求項２】
光ピックアップを所定の読み取り位置に移動させた状態で光ディスクの読み取りを行ったときにＲＦ信号が得られるかどうかに基づいて、光ディスクが未記録であるかどうかを判別する記録有無判別手段と、
記録有無判別手段の判別結果が未記録を示すときには、光ディスクの試し書き領域に光ピックアップを用いて試し書きを行う未記録時試書手段と、
未記録時試書手段によって試し書きされた領域の再生を行うことによってフォーカスバランスの調整を行う調整手段とを備えた光ディスク装置において、
記録有無判別手段の判別結果が未記録を示すときには、試し書き領域を形成する複数の単位領域のうち、使用順位が最上位となる単位領域である最上位領域の状態が、未記録状態または予め定められた情報である識別情報が試し書きされている識別情報記録状態または識別情報とは異なるデータが試し書きされている異種情報記録状態のどの状態であるのかを判別する最上位領域判別手段を備え、
最上位領域判別手段の判別結果が未記録状態を示すときには、未記録時試書手段は識別情報を最上位領域に試し書きし、調整手段は未記録時試書手段によって識別情報が試し書きされた最上位領域の再生を行うことによってフォーカスバランスの調整を行い、
最上位領域判別手段の判別結果が識別情報記録状態を示すときには、未記録時試書手段は試し書きを行わず、調整手段は識別情報記録状態にある最上位領域を再生することによってフォーカスバランスの調整を行い、
最上位領域判別手段の判別結果が異種情報記録状態を示すときには、未記録時試書手段は試し書きを行わず、調整手段はデータ領域であって且つデータ領域の最内周の近傍位置の再生を行うことによってフォーカスバランスの調整を行うことを特徴とする光ディスク装置。
【発明の詳細な説明】
【技術分野】
【０００１】
本発明は、光ディスクが未記録であると判別されたときには、試し書き領域に試し書きを行った後、試し書きされた領域を再生してフォーカスバランスの調整を行う光ディスク装置に係り、より詳細には、光ディスクが未記録であると判別されたときであっても、試し書き領域において使用順位が最上位となる単位領域である最上位領域の状態が、予め定められた情報である識別情報が試し書きされているときには、試し書きを行うことなく、最上位領域の再生を行うことによってフォーカスバランスの調整を行う光ディスク装置に関するものである。
【背景技術】
【０００２】
ＤＶＤ等の光ディスクを再生する場合、フォーカスエラー信号のバイアスレベルが適正でない場合、再生時の信号の品質、および、記録時の記録信号の品質が悪くなる。従って、記録や再生に先立ち、前記バイアスレベルの最適化、すなわち、フォーカスバランスの調整を行う必要がある。このフォーカスバランスの調整は、ＲＦ信号のジッタが最小となるように前記バイアスレベルを調整する動作となっているので、ＲＦ信号が得られる領域、すなわち、データが予め書き込みされた領域を再生する必要がある。しかし、再生位置に収納されたＤＶＤが未記録のディスクである場合には、ＲＦ信号が得られる領域がないため、フォーカスバランスの調整を行うことができないという問題が生じる。
【０００３】
このような問題を解消する技術として、以下に示す技術が提案されている。すなわち、この技術では、対象とする光ディスクが未記録である場合、トラッキングエラー信号の振幅が最大となるフォーカスオフセット位置と、フォーカスエラー検出回路オフセットがゼロとなるフォーカスオフセット位置との２種の位置を求め、この２種の位置の間となる位置にフォーカスオフセットを設定している。そして、このフォーカスオフセットの状態でもって、試し書き領域に試し書きを行った後、試し書きを行った領域を再生して、ＲＦ信号の振幅が最大となるフォーカスオフセットと、再生エラー信号が最小となるフォーカスオフセットとを得た後、この２種のフォーカスオフセットの間に、再生用のフォーカスオフセットを設定している。
【０００４】
また、試し書き領域に記録パワーを可変して記録した場合では、再生信号の品質が均一にならないため、上記技術においては、以下に示す構成も併せて開示されている。すなわち、未記録ディスクの場合では、データを適正に記録するため、試し書きによるＯＰＣ（Ｏｐｔｉｍｕｍ  Ｐｏｗｅｒ  Ｃａｌｉｂｒａｔｉｏｎ）によって、最適記録パワーを求めている。そして、求めたパワーで試し書き領域に記録を行い、記録した領域を再生して、ＲＦ信号の振幅が最大となるフォーカスオフセットと再生エラー信号が最小となるフォーカスオフセットとを求めている（例えば、特許文献１参照）。
【特許文献１】特開２００５−５０３９４号公報（第００１０−００１２段落）
【発明の開示】
【発明が解決しようとする課題】
【０００５】
しかしながら、上記技術を用いる場合には、以下に示す問題を生じていた。すなわち、所定位置に載置されたＤＶＤが未記録であると判定されたときには、フォーカスオフセットを設定するため、試し書き領域に試し書きを行うようになっている。従って、ＤＶＤが未記録であると判定されたときでは、フォーカスオフセットを設定するために試し書き領域が消費される。このことは、ＯＰＣを行うために使用可能となる領域が狭くなることを意味している。従って、以後、多数回のＯＰＣを必要とするような使い方をする場合、未記録のままに残された試し書き領域が不足するといったような事態を招く恐れがある。
【０００６】
本発明は、上記の問題点を解決するため創案されたものであり、その目的は、試し書き領域にフォーカスバランスの調整に使用可能な情報が既に試し書きされているときでは、フォーカスバランスの調整のためのデータを新たに試し書きすることなく、既に試し書きされているデータを再生することによってフォーカスバランスの調整を行うことにより、未記録であると判別された光ディスクに適するフォーカスバランスの調整を行うときにも、未記録な試し書き領域の消費を抑制することのできる光ディスク装置を提供することにある。
【０００７】
また本発明の目的は、試し書き領域にフォーカスバランスの調整に使用可能な情報が既に試し書きされているときでは、フォーカスバランスの調整のためのデータを新たに試し書きすることなく、既に試し書きされているデータを再生することによってフォーカスバランスの調整を行い、且つ、未記録であると判別されるときでも、さらに内周側の再生を行ってフォーカスバランスの調整を行うことにより、未記録であると判別された光ディスクに適するフォーカスバランスの調整を行うときにも、未記録な試し書き領域の消費を抑制することのできる光ディスク装置を提供することにある。
【課題を解決するための手段】
【０００８】
上記の課題を解決するため、本発明に係る光ディスク装置は、光ピックアップを所定の読み取り位置に移動させた状態で光ディスクの読み取りを行ったときにＲＦ信号が得られるかどうかに基づいて、光ディスクが未記録であるかどうかを判別する記録有無判別手段と、記録有無判別手段の判別結果が未記録を示すときには、光ディスクの試し書き領域に光ピックアップを用いて試し書きを行う未記録時試書手段と、未記録時試書手段によって試し書きされた領域の再生を行うことによってフォーカスバランスの調整を行う調整手段とを備えた光ディスク装置に適用している。そして、記録有無判別手段の判別結果が未記録を示すときには、試し書き領域を形成する複数の単位領域のうち、使用順位が最上位となる単位領域である最上位領域の状態が、未記録状態または予め定められた情報である識別情報が試し書きされている識別情報記録状態または識別情報とは異なるデータが試し書きされている異種情報記録状態のどの状態であるのかを判別する最上位領域判別手段を備え、最上位領域判別手段の判別結果が未記録状態を示すときには、未記録時試書手段は識別情報を最上位領域に試し書きし、調整手段は未記録時試書手段によって識別情報が試し書きされた最上位領域の再生を行うことによってフォーカスバランスの調整を行い、最上位領域判別手段の判別結果が識別情報記録状態を示すときには、未記録時試書手段は試し書きを行わず、調整手段は識別情報記録状態にある最上位領域を再生することによってフォーカスバランスの調整を行い、最上位領域判別手段の判別結果が異種情報記録状態を示すときには、未記録時試書手段は試し書き領域であって未記録となっている領域に試し書きを行い、調整手段は未記録時試書手段によって試し書きされた領域の再生を行うことによってフォーカスバランスの調整を行うようになっている。
【０００９】
すなわち、光ディスクが未記録であると判別されるときであっても、最上位領域に識別情報が試し書きされているときでは、試し書き領域に試し書きを行うことなく、フォーカスバランスの調整が行われる。
【００１０】
また本発明に係る光ディスク装置は、光ピックアップを所定の読み取り位置に移動させた状態で光ディスクの読み取りを行ったときにＲＦ信号が得られるかどうかに基づいて、光ディスクが未記録であるかどうかを判別する記録有無判別手段と、記録有無判別手段の判別結果が未記録を示すときには、光ディスクの試し書き領域に光ピックアップを用いて試し書きを行う未記録時試書手段と、未記録時試書手段によって試し書きされた領域の再生を行うことによってフォーカスバランスの調整を行う調整手段とを備えた光ディスク装置に適用している。そして、記録有無判別手段の判別結果が未記録を示すときには、試し書き領域を形成する複数の単位領域のうち、使用順位が最上位となる単位領域である最上位領域の状態が、未記録状態または予め定められた情報である識別情報が試し書きされている識別情報記録状態または識別情報とは異なるデータが試し書きされている異種情報記録状態のどの状態であるのかを判別する最上位領域判別手段を備え、最上位領域判別手段の判別結果が未記録状態を示すときには、未記録時試書手段は識別情報を最上位領域に試し書きし、調整手段は未記録時試書手段によって識別情報が試し書きされた最上位領域の再生を行うことによってフォーカスバランスの調整を行い、最上位領域判別手段の判別結果が識別情報記録状態を示すときには、未記録時試書手段は試し書きを行わず、調整手段は識別情報記録状態にある最上位領域を再生することによってフォーカスバランスの調整を行い、最上位領域判別手段の判別結果が異種情報記録状態を示すときには、未記録時試書手段は試し書きを行わず、調整手段はデータ領域であって且つデータ領域の最内周の近傍位置の再生を行うことによってフォーカスバランスの調整を行うようになっている。
【００１１】
すなわち、光ディスクが未記録であると判別されるときであっても、最上位領域に識別情報が試し書きされているとき、および、データ領域の内周側の近傍位置にデータが記録されているときでは、試し書き領域に試し書きを行うことなく、フォーカスバランスの調整が行われる。
【発明の効果】
【００１２】
本発明によれば、光ディスクが未記録であると判別されるときであっても、最上位領域に識別情報が試し書きされているときでは、試し書き領域に試し書きが行われることなく、フォーカスバランスの調整が行われるので、未記録であると判別された光ディスクに適するフォーカスバランスの調整を行うときにも、未記録な試し書き領域の消費を抑制することができる。
【００１３】
また本発明によれば、光ディスクが未記録であると判別されるときであっても、最上位領域に識別情報が試し書きされているとき、および、データ領域の内周側の近傍位置にデータが記録されているときでは、試し書き領域に試し書きが行われることなく、フォーカスバランスの調整が行われるので、未記録であると判別された光ディスクに適するフォーカスバランスの調整を行うときにも、未記録な試し書き領域の消費を抑制することができる。
【発明を実施するための最良の形態】
【００１４】
以下、本発明の実施の形態について図を参照して説明する。
【実施例１】
【００１５】
図１は、本発明に係る光ディスク装置の第１の実施形態であるＤＶＤレコーダの電気的構成を示すブロック線図である。
【００１６】
図において、チューナ部９は、マイクロコンピュータ（以下では、マイコンと称する）７から指示されたチャンネルの商用放送を受信するとともに、受信して得られたアナログ映像信号（アナログ音声信号を含む）をＡ／Ｄ変換部８に出力する。Ａ／Ｄ変換部８は、チューナ部９から出力されるアナログ映像信号をデジタル映像信号（デジタル音声信号を含む）に変換し、伸長圧縮処理部５に出力する。Ｄ／Ａ変換部６は、伸長圧縮処理部５より出力されるデジタル映像信号（デジタル音声信号を含む）をアナログ映像信号（アナログ音声信号を含む）に変換し、外部に設けられたテレビ受像機１２に出力する。
【００１７】
光ピックアップ３は、ディスクモータ２によって回転駆動されるＤＶＤ（請求項記載の光ディスクであり、具体的には、ＤＶＤ−Ｒ、ＤＶＤ−ＲＷ、ＤＶＤ−ＲＡＭ等）１の読み取りを行い、読み取りによって得られた信号を記録再生処理部４に出力する。また、記録再生処理部４より出力される信号をＤＶＤ１に記録する（書き込む）。
【００１８】
記録再生処理部４は、ディスクモータ２や光ピックアップ３とともに、ディスクドライブ部を形成する。このため、記録信号生成部１３、アナログ信号処理部１４、符号化復号化部１５、および、サーボ制御部１６を備えている。そして、光ピックアップ３を用いてＤＶＤ１の読み取りを行ったとき、アナログ信号処理部１４においてＲＦ信号が生成されなかったときには、その旨をマイコン７に知らせる。
【００１９】
アナログ信号処理部１４は、光ピックアップ３より出力される信号からＲＦ信号を生成し、符号化復号化部１５に出力する。また、フォーカスエラー信号とトラッキングエラー信号とを生成し、サーボ制御部１６に出力する。符号化復号化部１５は、アナログ信号処理部１４より出力されるＲＦ信号からデジタルデータを復調した後、復号化を行って得られた信号を伸長圧縮処理部５に出力する。また、伸長圧縮処理部５より出力されるデジタル信号を符号化した後、記録信号生成部１３に送出する。
【００２０】
記録信号生成部１３は、符号化復号化部１５から送出される信号に従って光ピックアップ３を駆動する。サーボ制御部１６は、アナログ信号処理部１４から出力されるフォーカスエラー信号やトラッキングエラー信号、符号化復号化部１５から出力される復調されたデジタルデータ等に基づき、光ピックアップ３のフォーカシングやトラッキング、および、ディスクモータ２の回転速度を制御する。また、マイコン７からの指示に従い、光ピックアップ３をＤＶＤ１の半径方向に移動させる。
【００２１】
伸長圧縮処理部５は、エンコード部１８を用いることによって、Ａ／Ｄ変換部８から出力された映像信号をＭＰＥＧ２（音声信号についてはＡＣ３等）に従って圧縮処理する。そして後、圧縮処理した映像信号を記録再生処理部４に出力する。また、デコード部１９を用いることにより、記録再生処理部４より出力される映像信号を、ＭＰＥＧ２（音声信号についてはＡＣ３等）に従って伸長処理する。そして、伸長処理により得られたデジタル映像信号をＤ／Ａ変換部６に出力する。
【００２２】
入力回路部１０は、図示されない装置本体の前面パネルに設けられた電源キー等のキースイッチや、リモートコントローラ（以下では、リモコンと称する）１１から送信される赤外線信号を受光する受光ユニット等を備えており、ユーザからの指示が入力されると、入力された指示をマイコン７に出力する。
【００２３】
マイコン７は、ＤＶＤレコーダとしての主要動作を制御する。すなわち、リモコン１１等に入力されたユーザの指示に従い、チューナ部９が受信するチャンネルを制御する。また、記録再生処理部４と伸長圧縮処理部５とを制御することによって、チューナ部９が受信した番組をＤＶＤ１に記録する。また、ＤＶＤ１に記録された映像信号を再生して、テレビ受像機１２に表示する。
【００２４】
また、マイコン７は、ＤＶＤ１が交換されたときには、交換されたＤＶＤ１に最適となるフォーカスバイアスを設定するため、フォーカスバランスの調整を行う。このため、その機能の一部を用いて、記録有無判別手段２１、未記録時試書手段２２、調整手段２３、および、最上位領域判別手段２４を構成する。
【００２５】
記録有無判別手段２１は、光ピックアップ３を所定の読み取り位置（例えば、図３（Ａ）の矢印ＲＤにより示すアドレス４２０００の位置）に移動させた状態でＤＶＤ１の読み取りを行ったときに、ＲＦ信号が得られるかどうかに基づいて、ＤＶＤ１が未記録であるかどうかを判別する（アドレスの数値は、１６進数で示されたＰＢＡ（Ｐｈｙｓｉｃａｌ  Ｂｌｏｃｋ  Ａｄｄｒｅｓ）となっている）。
【００２６】
最上位領域判別手段２４は、記録有無判別手段２１の判別結果が未記録を示すときには、試し書き領域を形成する複数の単位領域（図３（Ｂ）の５１〜５７，・・・により示す）のうち、使用順位が最上位となる単位領域である最上位領域５１の状態が、未記録状態であるのか、または、予め定められた情報である識別情報（後に詳述する）が試し書きされている識別情報記録状態であるのか、または、識別情報とは異なるデータが試し書きされている異種情報記録状態のあるのかを判別する。
【００２７】
未記録時試書手段２２は、記録有無判別手段２１の判別結果が未記録であり、最上位領域判別手段２４の判別結果が未記録状態を示すときには、識別情報を最上位領域５１に試し書きする。また、記録有無判別手段２１の判別結果が未記録であり、最上位領域判別手段２４の判別結果が異種情報記録状態を示すときには、試し書き領域であって未記録となっている単位領域（例えば、図５（Ｃ）の５２に示す領域）に識別情報を試し書きする。なお、記録有無判別手段２１の判別結果が未記録であり、最上位領域判別手段２４の判別結果が識別情報記録状態を示すときには、試し書きを行わない。
【００２８】
調整手段２３は、未記録時試書手段２２が最上位領域５１に試し書きを行ったとき、および、最上位領域５１が識別情報記録状態であるときには、最上位領域５１を再生することによってフォーカスバランスの調整を行う（ＲＦ信号のジッタが最少となるように、フォーカスのバイアス値を設定する）。また、未記録時試書手段２２が、最上位領域５１とは異なる領域に試し書きを行ったときには、そのときに試し書きを行った領域を再生することによってフォーカスバランスの調整を行う。
【００２９】
図２は、フォーカスバランスの調整を行うときの第１の実施形態の主要動作を示すフローチャートである。必要に応じて同図を参照しつつ、実施形態の動作を説明する。
【００３０】
ＤＶＤ１が交換されると、マイコン７は、記録再生処理部４に指示を与え、光ピックアップ３を初期位置（例えば、内周側の端部の近傍位置等）に移動させた後（ステップＳ１）、光ピックアップ３内のレーザダイオード（図示を省略）を点灯して、フォーカス系とトラッキング系との初期設定（予め設定された初期値に基づく大まかな設定）を行う（ステップＳ２）。そして後、光ピックアップ３を、データ領域内の所定の読み取り位置（図３（Ａ）の矢印ＲＤに示すアドレス４２０００）に移動させる（ステップＳ３）。
【００３１】
なお、このときの光ピックアップ３の移動は、ジャンプするトラック数を計数した移動ではなく、図示されないスレッドモータ（光ピックアップ３を半径方向に移動させるモータ）を所定時間分だけ駆動した移動となっている。従って、実機における光ピックアップ３の移動後の位置は、常にアドレス４２０００となるわけではなく、アドレス４２０００を挟んで、アドレス４２０００の近傍の範囲となる。
【００３２】
この状態において、光ピックアップ３によりデータの再生を行う（ステップＳ４）。いま、ＤＶＤ１が、図３（Ａ）、（Ｂ）に示したように、データ領域と試し書き領域との双方において、どこにもデータが書き込みされていない未記録状態であるとすると、アドレス４２０００の近傍を再生したときにも、アナログ信号処理部１４においてはＲＦ信号が得られない。従って、動作は、ステップＳ５からステップＳ６に移行する。このため、最上位領域判別手段２４は、光ピックアップ３を移動させて最上位領域５１の状態を調べる。
【００３３】
このときでは、最上位領域５１は未記録状態であるので、未記録時試書手段２２によって最上位領域５１に識別情報が試し書きされる（ステップＳ１５）。なお、このときの試し書きは、ＯＰＣのときのように段階的に記録パワーを変化させた書き込みではなく、予め初期値として設定された一定の記録パワーによる試し書きとなっている。また、試し書きされるデータは、ランダムなデータではなく、後に読み出しを行ったとき、明らかに同種の装置によって書き込みされたことが確認可能な識別情報、すなわち、ＯＰＣのために試し書きされたデータ、あるいは、他社製の装置によって試し書きされたデータではないことを判別可能にするデータ（例えば、メーカ名等を含むデータ等）となっている。
【００３４】
そして、最上位領域５１に識別情報７１１が試し書きされたときには（図３（Ｃ）参照）、調整手段２３は、最上位領域５１を再生することによって、フォーカスバランスの調整を行う（ステップＳ１６）。そして後、フォーカス系の精密な調整（フォーカスバランスの調整を含む）とトラッキング系の精密な調整を行う。また、最上位領域５１に隣接して内周側に位置する単位領域５２に、ＯＰＣのために記録パワーを段階的に変化させたデータ７１２の試し書きを行う（図３（Ｄ）参照）。そして、単位領域５２を再生することによって、最良となる記録パワーを求め、求めた記録パワーを用いて、データ領域に、番組の記録等を行う。図３（Ｅ）は、このようにして番組（６１１により示す）が記録されたときのデータ領域の状態を示している。
【００３５】
いま、交換されたＤＶＤ１の記録状態が、図４（Ａ）、（Ｂ）に示す状態であるとする。すなわち、データ領域の始まるアドレス３００００から少しの範囲において番組６２１が記録されているが、アドレス４２０００の近傍は、まだ未記録状態であるとする。また、試し書き領域においては、最上位領域５１には識別情報７２１が試し書きされており、単位領域５２には、ＯＰＣのためのデータ７２２が試し書きされているとする。
【００３６】
このときでも、ステップＳ４における再生時では、ＲＦ信号が得られない。従って、動作は、ステップＳ５からステップＳ６に移行し、最上位領域５１の記録状態が調べられる。このときでは、識別情報記録状態であるので、動作は、ステップＳ７，Ｓ８からステップＳ１６に移行する。すなわち、最上位領域５１には、フォーカスバランスの調整に必要なデータ（ＯＰＣのために記録パワーが段階的に変化するデータではなく、記録パワーを一定として試し書きされたデータである識別情報７２１）が記録済みとなっているので、調整手段２３は、最上位領域５１を再生することによって、フォーカスバランスの調整を行う。
【００３７】
つまり、このときでは、フォーカスバランスの調整のためのデータを、新たに試し書きすることなく、既に試し書きされていたデータ（識別情報７２１）を用いてフォーカスバランスの調整が行われる。すなわち、試し書き領域における単位領域を消費することなく、フォーカスバランスの調整が行われるので、試し書き領域が減少するという事態の発生が防止される。
【００３８】
上記方法によってフォーカスバランスの調整が終了した後には、フォーカス系の精密な調整（フォーカスバランスの調整を含む）とトラッキング系の精密な調整を行った後、試し書き領域の空きとなっている領域のうち、最も外周側の単位領域５３に、ＯＰＣのためのデータ７２３を試し書きする（図４（Ｃ）参照）。そして、単位領域５３を再生することによって、最良となる記録パワーを求め、求めた記録パワーを用いて、番組６２１の記録領域に隣接した位置から、番組６２２の記録を行う。図４（Ｄ）は、このようにして番組６２２が記録されたときのデータ領域の状態を示している。
【００３９】
また、いま、交換されたＤＶＤ１の記録状態が、図５（Ａ）、（Ｂ）に示す状態であるとする。すなわち、データ領域の始まるアドレス３００００から少しの範囲において番組６３１が記録されているが、アドレス４２０００の近傍は、まだ未記録状態であるとする。また、試し書き領域における最上位領域５１には、番組６３１を記録するときの最適記録パワーを求めるため、ＯＰＣ用のデータ７３１が試し書きされているとする。
【００４０】
このときでは、ステップＳ４における再生時では、ＲＦ信号が得られない。従って、動作は、ステップＳ５からステップＳ６に移行し、最上位領域５１の記録状態が調べられる。このときでは、識別情報とは異なるデータ７３１が記録された異種情報記録状態であるので、動作は、ステップＳ７，Ｓ８からステップＳ９に移行する。
【００４１】
すなわち、最上位領域５１には、ＯＰＣのために記録パワーが段階的に変化するデータ７３１が記録されているが、このデータ７３１はフォーカスバランスの調整には適していない。このため、未記録時試書手段２２は、試し書き領域内の空きとなっている領域５２〜５７，・・・のうちで最も外周側に位置する単位領域５２に、識別情報７３２の試し書きを行う。そして後、調整手段２３は、単位領域５２を再生することによって、フォーカスバランスの調整を行う（図５（Ｃ）参照）。
【００４２】
上記した方法によってフォーカスバランスの調整が終了した後には、フォーカス系の精密な調整（フォーカスバランスの調整を含む）とトラッキング系の精密な調整を行った後、試し書き領域内の空きとなっている領域のうちで最も外周側となる単位領域５３に、ＯＰＣのためのデータ７３３を試し書きする（図５（Ｄ）参照）。そして後、単位領域５３を再生することによって、最良となる記録パワーを求め、求めた記録パワーを用いて、番組６３１の記録領域に隣接した位置から、番組の記録等を行う。図５（Ｅ）は、このようにして番組６３２が記録されたときのデータ領域の状態を示している。
【００４３】
なお、光ピックアップ３をデータ領域内の所定の読み取り位置に移動させて再生を行ったとき（ステップＳ３，Ｓ４）、ＲＦ信号が得られた場合には、調整手段２３は、その位置から再生を行うことにより、フォーカスバランスの調整を行う（ステップＳ１９）。
【実施例２】
【００４４】
次に、本発明の第２の実施形態について説明する。
【００４５】
第２の実施形態の電気的構成をブロック線図として示すときには、図１に示す構成と同一となり、未記録時試書手段２２と調整手段２３との構成が異なるに過ぎない。このため、未記録時試書手段２２と調整手段２３とについてのみ構成の説明を行い、その他のブロックについては構成の説明を省略する。
【００４６】
未記録時試書手段２２は、記録有無判別手段２１の判別結果が未記録であり、最上位領域判別手段２４の判別結果が未記録状態を示すときには、識別情報を最上位領域５１に試し書きする。また、記録有無判別手段２１の判別結果が未記録であり、最上位領域判別手段２４の判別結果が異種情報記録状態を示すとき、および、記録有無判別手段２１の判別結果が未記録であり、最上位領域判別手段２４の判別結果が識別情報記録状態を示すときには、試し書きを行わない。
【００４７】
調整手段２３は、未記録時試書手段２２が最上位領域５１に試し書きを行ったとき、および、最上位領域５１が識別情報記録状態であるときには、最上位領域５１を再生することによってフォーカスバランスの調整を行う。また、記録有無判別手段２１の判別結果が未記録であり、最上位領域判別手段２４の判別結果が異種情報記録状態を示すときには、データ領域であって且つデータ領域の最内周の近傍位置の再生を行うことによって、フォーカスバランスの調整を行う。
【００４８】
図６は、フォーカスバランスの調整を行うときの第２の実施形態の主要動作を示すフローチャートであり、第１の実施形態と同一の動作となるステップについては、図２における符号と同一符号を付与し、説明を省略する。
【００４９】
交換されたＤＶＤ１の状態が、図３（Ａ）、（Ｂ）に示す状態となるときには、第１の実施形態と同一の動作となる。すなわち、最上位領域５１に識別情報７１１を試し書きした（ステップＳ１〜Ｓ７，Ｓ１５）後、最上位領域５１を再生することによってフォーカスバランスの調整を行う（ステップＳ１６）。また、交換されたＤＶＤ１の状態が、図４（Ａ）、（Ｂ）に示す状態となるときにも、第１の実施形態と同一の動作となる。すなわち、調整手段２３は、最上位領域５１に既に試し書きされた識別情報７２１を再生することによってフォーカスバランスの調整を行う（ステップＳ１〜Ｓ８，Ｓ１６）。
【００５０】
そして後には、フォーカス系の精密な調整（フォーカスバランスの調整を含む）とトラッキング系の精密な調整を行った後、試し書き領域内の空きとなっている領域のうちで最も外周側となる単位領域に、ＯＰＣのためのデータを試し書きする。次いで、ＯＰＣのためのデータを試し書きした単位領域を再生することによって、最良となる記録パワーを求め、求めた記録パワーを用いて、番組の記録を行う。
【００５１】
一方、交換されたＤＶＤ１の状態が、図７（Ａ）、（Ｂ）に示す状態となるとき、すなわち、データ領域の内周側に番組６４１が既に記録されており、最上位領域５１には、ＯＰＣのためのデータ７４１が試し書きされた状態となるときでは、調整手段２３は、光ピックアップ３を、データ領域内であって、且つ、データ領域の最内周の近傍位置（例えば、図７（Ｃ）の矢印ＲＤに示す位置（アドレス３３０００等））に移動させる（フォーカスバランスは、予め設定された初期値に基づく大まかな調整状態にあるに過ぎないが、このときでも、多くのＤＶＤ１に対しては、所望のアドレスに光ピックアップ３を移動させることができる）。そして後、再生を行う（ステップＳ１〜Ｓ８，Ｓ２１）。
【００５２】
このときでは、光ピックアップ３の移動位置には番組６４１が記録されており、ＲＦ信号が得られる。このため、調整手段２３は、その位置の再生を行うことによって、フォーカスバランスの調整を行う（ステップＳ２２，Ｓ２３）。そして後には、フォーカス系の精密な調整（フォーカスバランスの調整を含む）とトラッキング系の精密な調整を行った後、試し書き領域内の空きとなっている領域のうちで最も外周側となる単位領域５２に、ＯＰＣのためのデータ７４２を試し書きする（図７（Ｄ）参照）。次いで、単位領域５２を再生することによって、最良となる記録パワーを求め、求めた記録パワーを用いて、番組６４２の記録を行う（図７（Ｅ）参照）。
【００５３】
また、交換されたＤＶＤ１の状態が、図８（Ａ）、（Ｂ）に示す状態となるとき、すなわち、最上位領域５１には、ＯＰＣのためのデータ７５１が試し書きされているが、データ領域が未記録となっているとき（最適な記録パワーを求めたのみで、番組の記録が実行されなかったとき）には、調整手段２３は、光ピックアップ３を、データ領域内であって、且つ、データ領域の最内周の近傍位置（例えば、図８（Ｃ）の矢印ＲＤに示す位置（アドレス３３０００等））に移動させる。そして後、再生を行う（ステップＳ１〜Ｓ８，Ｓ２１）。
【００５４】
このときでは、光ピックアップ３の移動位置は未記録であるため、ＲＦ信号が得られない。このような場合、未記録時試書手段２２は、図８（Ｄ）に示したように、試し書き領域内の空きとなっている領域のうちで最も外周側に位置する単位領域５２に、識別情報７５２の試し書きを行う（ステップＳ２２，Ｓ９）。そして後、調整手段２３は、単位領域５２を再生することによって、フォーカスバランスの調整を行う（ステップＳ１０）。
【００５５】
上記した方法によってフォーカスバランスの調整が終了した後には、フォーカス系の精密な調整（フォーカスバランスの調整を含む）とトラッキング系の精密な調整を行った後、試し書き領域内の空きとなっている領域のうちで最も外周となる単位領域５３に、ＯＰＣのためのデータ７５３を試し書きする（図８（Ｅ）参照）。次いで、単位領域５３を再生することによって、最良となる記録パワーを求め、求めた記録パワーを用いて、番組の記録等を行う。図８（Ｆ）は、このようにして番組６５１が記録されたときのデータ領域の状態を示している。
【００５６】
なお、本発明は上記実施形態に限定されず、ＤＶＤレコーダに適用した場合について説明したが、ＨＤＤ一体型ＤＶＤレコーダ等の場合にも、同様に適用することができる。
【００５７】
また、光ディスクをＤＶＤとした場合について説明したが、その他の種類の光ディスクの場合にも、同様に適用することができる。
【００５８】
また、光ディスクが未記録であるかどうかを調べるときの光ピックアップ３の位置（所定の読み取り位置）については、アドレス４２０００を中心とする範囲とした場合について説明したが、データ領域にデータが記録されているときには、そのデータが短くても、そのデータの記録範囲内となる確率が高く、且つ、光ピックアップ３の停止位置がずれるときにも、停止位置がデータ領域から外れる恐れのない限りでは任意の位置とすることができる。
【図面の簡単な説明】
【００５９】
【図１】本発明に係る光ディスク装置の一実施形態であるＤＶＤレコーダの電気的構成を示すブロック線図である。
【図２】フォーカスバランスの調整を行うときの第１の実施形態の主要動作を示すフローチャートである。
【図３】ＤＶＤの記録状態の変化を示す説明図である。
【図４】ＤＶＤの記録状態の変化を示す説明図である。
【図５】ＤＶＤの記録状態の変化を示す説明図である。
【図６】フォーカスバランスの調整を行うときの第２の実施形態の主要動作を示すフローチャートである。
【図７】ＤＶＤの記録状態の変化を示す説明図である。
【図８】ＤＶＤの記録状態の変化を示す説明図である。
【符号の説明】
【００６０】
１  ＤＶＤ（光ディスク）
３  光ピックアップ
２１  記録有無判別手段
２２  未記録時試書手段
２３  調整手段
２４  最上位領域判別手段
５１  最上位領域
５１〜５７  単位領域
７１１，７２１，７３２  識別情報
７１２，７２２，７２３，７３１，７３３  異種情報
７４１，７４２，７５１，７５３  異種情報
７５２  識別情報
【図１】
2007018642.tif 000003
【図２】
2007018642.tif 000004
【図３】
2007018642.tif 000005
【図４】
2007018642.tif 000006
【図５】
2007018642.tif 000007
【図６】
2007018642.tif 000008
【図７】
2007018642.tif 000009
【図８】
2007018642.tif 000010